(57)【要約】【課題】  マニュアル操作における操作時間を短縮し、誤操作を防止することができる回線制御装置を提供する。【解決手段】  複数の出力回線と、ここから任意の出力回線を選択する一連の手順を予め記憶した記憶手段（３６）と、選択動作を実行させる指示情報を入力するための複数の操作スイッチ（２０３，２０７，２０８…）と、これらスイッチのそれぞれに対応した複数の発光手段（３７，３８，４０〜４２）と、指示情報により、一連の手順に基づき任意の出力回線を選択し、これらに対して出力信号を送出するよう制御する回線制御手段（３９）とを備え、回線制御手段は、一手順における動作状態を発光手段のいずれかを第１の輝度で発光させて表示すると共に、次の手順で操作を許容する操作スイッチを一連の手順から特定し、特定された操作スイッチに対応する発光手段を第１の輝度とは異なる第２の輝度で発光させる。【選択図】      図２
2006093935.tif 000002
【特許請求の範囲】
【請求項１】
複数のスイッチを備えた機器を作動させるために予め定められた一連の手順に従って行われる、前記複数のスイッチに対する手動の操作を案内するスイッチの操作案内方法において、
前記複数のスイッチのそれぞれに対応する発光手段を設け、前記一連の手順の一手順における前記機器の動作状態について、前記発光手段のいずれかを第１の輝度で発光させて表示すると共に、前記複数のスイッチの内、前記一手順の次の手順で操作を許容するスイッチに対応する前記発光手段を、前記第１の輝度とは異なる第２の輝度で発光させることを特徴とするスイッチの操作案内方法。
【請求項２】
出力信号を送出する複数の出力回線と、
前記複数の出力回線の中から任意の出力回線を選択する一連の手順を予め記憶した記憶手段と、
前記選択動作を実行させる指示情報を入力するための複数の操作スイッチと、
前記複数の操作スイッチのそれぞれに対応した複数の発光手段と
前記指示情報により、前記一連の手順に基づき前記任意の出力回線を選択し、前記選択された出力回線に対して出力信号を送出するよう制御する回線制御手段と、を備えた回線制御装置において、
前記回線制御手段は、
前記一連の手順の一手順における動作状態を前記発光手段のいずれかを第１の輝度で発光させて表示すると共に、前記複数の操作スイッチの内、前記一手順の次の手順で操作を許容する操作スイッチを前記一連の手順から特定し、前記特定された操作スイッチに対応する前記発光手段を、前記第１の輝度とは異なる第２の輝度で発光させるよう制御することを特徴とする回線制御装置。
【発明の詳細な説明】
【技術分野】
【０００１】
本発明は、所定の手順で手動操作されるスイッチの操作手順をガイドするスイッチの操作案内方法と、構内放送等に用いられ、その操作案内方法で手動のスイッチ操作を案内する回線制御装置に関する。
【背景技術】
【０００２】
流通店舗や学校等の構内放送においては、種々の放送ソースに対応し多数のスピーカを選択制御して放送を行う業務放送システムが広く用いられている。このような業務放送システムの一例が特許文献１に記載されている。
このような業務放送システムを必要とする建物等の多くは、複数の階があり、各階も広いスペースが確保されている。すなわち、それだけ多数のスピーカを配設したシステムが構築されている。
従って、このシステムでスピーカ等を遠隔制御する回線制御装置は、極めて多数の放送回線数（例えば、数百回線）を制御するように構成されるのが一般的である。
【特許文献１】特開２００２−１７６４０５号公報
【発明の開示】
【発明が解決しようとする課題】
【０００３】
上述したような従来の回線制御装置においては、放送する回線を選択したり、選択した放送先等を記憶させるためには、多くのスイッチの中から所定のスイッチを選択し、さらに多くの手順を経て正しく操作を完了させなければならない。
そのため、操作手順を記憶するのがとても難しく、操作に時間がかかり、また、スイッチを間違えて押したり、手順を間違えたりし易いという問題があった。
【０００４】
そこで、本発明が解決しようとする課題は、マニュアル操作における操作時間を短縮し、誤操作を防止することができるスイッチの操作案内方法及び回線制御装置を提供することにある。
【課題を解決するための手段】
【０００５】
上記の課題を解決するために、本願発明は手段として次の手順を有する。
即ち、請求項１に係る発明は、複数のスイッチ（２０３，２０７，２０８…）を備えた機器（１０２）を作動させるために予め定められた一連の手順に従って行われる、前記複数のスイッチ（２０３）に対する手動の操作を案内するスイッチの操作案内方法において、
前記複数のスイッチ（２０３，２０７，２０８…）のそれぞれに対応する発光手段（３７，３８，４０〜４２）を設け、前記一連の手順の一手順における前記機器（１０２）の動作状態について、前記発光手段（３７，３８，４０〜４２）のいずれかを第１の輝度で発光させて表示すると共に、前記複数のスイッチ（２０３，２０７，２０８…）の内、前記一手順の次の手順で操作を許容するスイッチに対応する前記発光手段（３７，３８，４０〜４２）を、前記第１の輝度とは異なる第２の輝度で発光させることを特徴とするスイッチの操作案内方法である。
【０００６】
また、本願発明は手段として次の構成を有する。
即ち、請求項２に係る発明は、出力信号を送出する複数の出力回線と、前記複数の出力回線の中から任意の出力回線を選択する一連の手順を予め記憶した記憶手段（３６）と、前記選択動作を実行させる指示情報を入力するための複数の操作スイッチ（２０３，２０７，２０８…）と、前記複数の操作スイッチ（２０３，２０７，２０８…）のそれぞれに対応した複数の発光手段（３７，３８，４０〜４２）と、前記指示情報により、前記一連の手順に基づき前記任意の出力回線を選択し、前記選択された出力回線に対して出力信号を送出するよう制御する回線制御手段（３９）と、を備えた回線制御装置（１０２）において、
前記回線制御手段（３９）は、前記一連の手順の一手順における動作状態を前記発光手段（３７，３８，４０〜４２）のいずれかを第１の輝度で発光させて表示すると共に、前記複数の操作スイッチ（２０３，２０７，２０８…）の内、前記一手順の次の手順で操作を許容する操作スイッチを前記一連の手順から特定し、前記特定された操作スイッチに対応する前記発光手段を、前記第１の輝度とは異なる第２の輝度で発光させるよう制御することを特徴とする回線制御装置（１０２）である。
【発明の効果】
【０００７】
本発明によれば、次手順で操作が許容されるスイッチを、動作状態を示すために点灯するスイッチの輝度とは異なる輝度で点灯させることにより、マニュアル操作における操作時間を短縮し、誤操作を防止することができる、という効果を奏する。
【発明を実施するための最良の形態】
【０００８】
本発明の実施の形態を、好ましい実施例により図１〜図７を用いて説明する。
図１は、本発明の回線制御装置の実施例を適用した業務放送システムの構成例を説明する図である。
図２は、本発明の回線制御装置の実施例を説明する平面図である。
図３は、本発明の回線制御装置の実施例を説明するブロック図である。
図４は、本発明の回線制御装置の実施例における動作を説明するフローチャートである。
図５は、本発明の回線制御装置の実施例における操作案内手順を説明するフローチャートである。
図６は、本発明の回線制御装置の実施例におけるモード遷移チャートである。
図７は、本発明の回線制御装置の実施例におけるＬＥＤ点灯モードを示す図である。
【０００９】
この実施例の回線制御装置を適用する業務放送システムは、１階〜４階の売り場を持った百貨店に設置されるものであり、このシステムの構成の概略を、図１を用いて説明する。
この百貨店は、各階毎にｎ台の放送用スピーカＳＰ１〜ＳＰｎが天井等に設置されている。ｎの値は各階毎に異なっていてよい。
【００１０】
ここでは、階の区別のために、１階〜４階を添え字ａ〜ｄとして表示し、符号の末尾に記する場合がある。この場合、例えば、２階のスピーカは、ＳＰ１ｂ〜ＳＰｎｂの符号により指示される。以下、同様である。
【００１１】
各階にはそれぞれ放送室が設けられ、各放送室には、マイクロホン１０３を備えた回線制御装置１０２ａ〜１０２ｄが設置されている。
各回線制御装置１０２ａ〜１０２ｄには、それぞれの階に設置された放送用スピーカＳＰ１〜ＳＰｎが接続され、それぞれを独立して遠隔制御することができる。以降、回線制御装置１０２ａ〜１０２ｄを遠隔制御装置と称する。
【００１２】
また、各遠隔制御装置１０２ａ〜１０２ｄは、全体（全階）を集中制御する防災センター（集中管理室）に設置されたセンターユニット１０１と、分配ユニット１０１Ｂを介して接続されており、相互に音声情報や制御情報を授受することができるように構成されている。
【００１３】
また、上述した各階の放送室には、予めアナウンスする内容を録音したり、既に録音された記録媒体（テープ，ディスク等）を再生したりする記録再生装置１０４ａや、バックグラウンドミュージック（以下、ＢＧＭと称する）用の再生装置１０４ｂ等が設置され、各遠隔制御装置１０２と接続されている。
従って、上述のマイクロホン１０３やこれらの再生装置１０４ａ，１０４ｂからの音声出力は、遠隔制御装置１０２を介して、その階の放送用スピーカＳＰ１〜ＳＰｎから放送することができる。
【００１４】
更に、ある階の遠隔制御装置１０２から、センターユニット１０１及び他階の遠隔制御装置１０２を介して、その他階の所望のスピーカＳＰ１〜ＳＰｎから放送できるように構成されている。
例えば、１階の遠隔制御装置１０２ａから３階のフロアに放送する場合、１階の遠隔制御装置１０２ａにおいて、放送したい階（３階）と放送したいエリアを受け持つスピーカとを選択すると、遠隔制御装置１０２ａは、その選択情報をセンターユニット１０１に送出する。
【００１５】
センターユニット１０１は、送られた選択情報に基づいて３階の遠隔制御装置１０２ｃを選択し、この制御装置１０２ｃに対して、１階の遠隔制御装置１０２ａからの音声出力信号を送出する。
これにより、１階の遠隔制御装置１０２ａのマイクロホン１０３や再生装置１０４ａ，１０４ｂを使用して、３階の所定エリアに所望の放送を行うことができる。
【００１６】
このような構成により、選択回線を全回線として定時の案内を全館に対して放送したり、臨時案内（例えば迷子のアナウンス）を放送したり、催し物を開催している特定のエリアを受け持つスピーカの回線を選択し、そのエリアに対してのみ、催し物関連情報を放送したりすることができる。
【００１７】
ここで、実施例の遠隔制御装置１０２について詳述する。
まず、正面パネル側の外観を図２に示す。
このパネルの左上方には、本体から図の手前側に（設置状態では装置の上方に向かって）突出するフレキシブルな支柱（図示せず）が設けられ、その先端には、マイクロホン１０３が取り付けられている。
【００１８】
また、右上方には、３桁の数字等を表示できる回線表示ディスプレイ２０２が備えられている。
また、回線番号を入力、あるいは、選択するための、数字の１〜０に対応した１０個のスイッチ（釦）であるブロックスイッチ２０３が設けられている。
このブロックスイッチ２０３は、２つの回線ブロック２０３Ａ，２０３Ｂの分設けられており、スイッチは合計２０個備えられている。
【００１９】
さらに、チャイムを放送する場合に押すダウンチャイムスイッチ２０４とアップチャイムスイッチ２０６，放送又は、これを復旧（リセット）させる放送／復旧スイッチ２０５，回線を選択する場合に押す回線選択スイッチ２０７，選択した回線番号を登録する際に押す回線登録スイッチ２０８，選択を訂正する際に押すクリアスイッチ２０９，一斉放送を行う場合に押す一斉放送スイッチ２１５，メモリー登録をする場合に押すメモリ登録スイッチ２１７，メモリー登録した内容を確認するメモリ確認スイッチ２１８，メモリー登録した内容を放送する場合に押す第１，第２のメモリースイッチ２１６ａ，２１６ｂ等が配設されている。
【００２０】
これらのスイッチは、ＬＥＤを内蔵した自照式スイッチである。
ここでは、特に、２０個の回線番号スイッチ２０３，放送／復旧スイッチ２０５，回線選択スイッチ２０７，回線登録スイッチ２０８及びクリアスイッチ２０９の内蔵ＬＥＤを、それぞれＬＥＤ３８，ＬＥＤ３７、ＬＥＤ４０及びＬＥＤ４１、ＬＥＤ４２として符号付けしておく。
【００２１】
次に、この遠隔制御装置１０２の構成についてブロック図（図３）を用いて説明する。
この遠隔制御装置１０２は、バスライン３０を備え、そのバスライン３０に対して、外部の記録再生装置等を接続する外部入力端子（Ｅｘｉｔ  Ｉｎｐｕｔ）３２，他の遠隔制御装置あるいはセンターユニット１０１に対して制御信号を出力する制御信号出力端子（ＣＴＬ  ｏｕｔｐｕｔ）３３，マイクロホン１０３や外部から入力された音声信号を出力する音声信号出力端子（Ａｕｄｉｏ  ｏｕｔｐｕｔ）３４，３桁の数字等を表示できる回線表示ディスプレイ２０２，誤操作等の際に操作者に対して音を発して警告するためのブザー３５，予め制御プログラムが記憶され、登録する回線等を記憶するメモリ３６，操作状態を表示したり操作手順をガイドするために発光する発光手段（ＬＥＤ）３７，３８（３８ａ，３８ｂ…），４０，４１，４２及びこの制御装置自身を制御するＣＰＵ３９等が接続された構成となっている。メモリ３６は、図示しないが、２つの独立したメモリで構成されている。
【００２２】
ＣＰＵ３９は、メモリ３６に予め記憶されている制御プログラムに従って、モード（詳細は後述する）を設定し、各モード毎に各スイッチのＬＥＤの発光を制御する。この制御は、発光有無に限らず、発光輝度も制御する。
また、ＣＰＵ３９は、制御信号出力端子３３からセンタユニット１０１へ制御信号を送り、マイクロホン１０３で収録した音声や外部から入力された音声等の音声信号を、声信号出力端子３４からセンタユニット１０１に出力する。
【００２３】
メモリ３６に予め格納された制御プログラムは、装置の動作が、図６に示すモード遷移に従って他のモードに移行し、各モードにおいては図７に示すＬＥＤ点灯ルールに従ってＬＥＤを所定の輝度で点灯または消灯するよう、プログラミングされている。
【００２４】
次に、この遠隔制御装置１０２で利用できる放送モードについて詳述する。
即ち、この遠隔制御装置１０２は、いくつかの放送モードを選択して放送することができる。
具体的には、（１）予め回線をブロック化しておき、そのブロック毎に放送を行うブロック放送モード，（２）接続されている回線のすべてに対して放送を行う一斉放送モード，（３）予め複数の回線を登録しておき、その登録した回線のみに放送するメモリ放送モード，（４）放送時に所望の回線を選び、その選んだ回線に対して放送を行う回線選択放送モードの４つのモードである。これらのモードの選択手順例を、図４のフローチャートに示している。
【００２５】
まず、初期のＬＥＤがすべて消灯している状態（Ｓ４０１）において、ブロックスイッチ２０３を押す（Ｓ４０２）と、ブロック放送モードに入り、ブロック放送処理が実行される。
【００２６】
ブロックスイッチ２０３を押さずに一斉放送スイッチ２１５を押す（Ｓ４０３）と、一斉放送モードに入り、一斉放送処理が実行される。
【００２７】
一斉放送スイッチ２１５を押さずに第１または第２のメモリースイッチ２１６ａ，２１６ｂを押す（Ｓ４０４）と、メモリー放送モードに入り、メモリー放送処理が実行される。
【００２８】
メモリースイッチを押さずに回線選択スイッチ２０７を押す（Ｓ４０５）と、回線選択放送モードに入り、回線選択放送処理が実行される。
ここで、この遠隔制御装置１０２は、この回線選択放送処理において選択した回線を、メモリー登録スイッチ２１７を押す（Ｓ４０６）ことで、メモリーに登録することができる。
【００２９】
メモリー登録スイッチ２１７を押さずにメモリー確認スイッチ２１８を押す（Ｓ４０７）と、登録されたメモリー内容が回線表示ディスプレイ２０２に表示されるので、内容を確認することができる。
以上の手順でモードを選択することができる。
【００３０】
これらの選択モードの内、代表として回線選択放送モードについて詳述する。
この遠隔制御装置１０２の電源を投入した直後は、モード遷移チャート（図６参照）における「モード０００」（初期状態）である。
【００３１】
この「モード０００」は、回線選択が可能なモードであり、ここで押下可能なスイッチは、図４のフローチャートや図６のモード遷移チャートに示すように、２０個のブロックスイッチ２０３，このブロックスイッチ２０３と兼用の回線選択スイッチ２０３，一斉放送選択スイッチ２１５，２つのメモリに対応したメモリスイッチ２１６ａ，２１６ｂ，回線登録スイッチ２０８，メモリ確認スイッチ２１８の各スイッチである。
【００３２】
この回線選択放送モードで放送を行う場合の手順を、図５のフローチャートを用いて説明する。
まず、操作者（オペレータ）は、回線選択スイッチ２０７を押す（ステップＳ５０１）。
遠隔制御装置１０２のＣＰＵ３９は、回線選択スイッチ２０７のＬＥＤ３７が既に点灯しているかどうかを確認する（ステップＳ５０２）。
このＬＥＤ３７が既に点灯している場合は、「モード０００」ではなく「モード２００」の状態にあるので、モード遷移チャート（図６参照）に従って、初期状態である「モード０００」に移行させる（ステップＳ５０３）。そして、ＬＥＤ３７を消灯する（ステップＳ５０４）。
ＬＥＤ３７が点灯していない場合は、モード遷移チャートに従って、「モード２００」に移行する（ステップＳ５０５）。
【００３３】
「モード２００」において、ＣＰＵ３９は、ＬＥＤ点灯図（図７参照）に従って、回線表示ディスプレイ２０２に「−  −  −」をの表示を点滅させる（ステップＳ５０６）。
また、ＣＰＵ３９は、回線番号スイッチ２０３のＬＥＤ３８と回線登録スイッチ２０８のＬＥＤ４０とを、低輝度で点灯させる（ステップＳ５０７）と共に、回線選択スイッチ２０７のＬＥＤ３７を高輝度で点灯させる（ステップＳ５０８）。
【００３４】
このＬＥＤの発光輝度の使い分けは、動作状態を示すスイッチを高輝度で点灯させ、次の手順で操作が可能なスイッチを低輝度で点灯させるということで行う。
従って、操作者は、遠隔制御装置１０２の動作状態を高輝度で点灯しているスイッチの種類で把握でき、次の操作で押せるスイッチが低輝度で点灯しているのでこれを瞬時に確実に把握できる。
そのため、この装置を操作する際には誤操作することがなく、操作を迅速に行うことができる。以降の手順においても同様である。
【００３５】
操作者は、低輝度で点灯している数字の回線番号スイッチ２０３を押し、放送を行いたい回線の番号を入力する。
例えば、２３番回線に放送を行いたいのであれば、「２」と「３」の回線番号スイッチ２０３を順に押す（ステップＳ５０９）。
このスイッチ操作により、ＣＰＵ３９は、入力された番号の回線が登録されているか否かを確認する（ステップＳ５１０）。
登録されていない場合、ＣＰＵ３９は、入力ミス（登録させていない番号を入力した）を知らせるため、ブザー３５に「ピピピ」というアラーム音を発するよう指示する（ステップＳ５１１）。
登録されている場合、ＣＰＵ３９は、遠隔制御装置１０２を「モード２１０」に移行させる（ステップＳ５１２）。
【００３６】
「モード２１０」において、ＣＰＵ３９は、入力された数字「２３」を回線表示ディスプレイ２０２に点滅表示させる（ステップＳ５１３）。
この際、回線表示ディスプレイ２０２は３桁の表示ができるので、「−２３」と表示する。
そして、回線番号スイッチ２０３のＬＥＤ３８と回線登録スイッチ２０８のＬＥＤ３７とを低輝度で点灯させる（ステップＳ５１４）と共に、回線番号スイッチ２０３を高輝度で点灯させる（ステップＳ５１５）。
【００３７】
操作者は、回線表示ディスプレイ２０２を視認して表示された入力番号が正しいか否かを確認する。
正しい場合は、回線登録スイッチ２０８を押す（ステップＳ５１６）。
この操作により、ＣＰＵ３９は、遠隔制御装置１０２を「モード２１０」から「モード２２０」に移行させる（ステップＳ５１７）。
【００３８】
「モード２２０」では、ＣＰＵ３９は、ＬＥＤ点灯図に従って、回線表示ディスプレイ２０２に「０２３」を点灯表示させる（ステップＳ５１８）。
また、回線番号スイッチ２０３のＬＥＤ３８とクリアスイッチ２０９のＬＥＤ４１とを低輝度で点灯させる（ステップＳ５１９）と共に、回線選択スイッチ２０７のＬＥＤ３７を高輝度で点灯させる（ステップＳ５２０）。
一方、回線登録スイッチのＬＥＤ４０は消灯させる。
以上の操作により、回線選択がなされる。
【００３９】
更に別の回線を選択したい場合は、ステップＳ５０９〜ステップＳ５２０の操作を繰り返し、放送したい回線番号を順次入力する。
この繰り返し入力により、例えば、「０２３」の他に「０６４」と「１０８」との合計３つの回線番号を選択したとする。
３つ目の回線番号の入力が終わったら、操作者は、放送／復旧スイッチ２０５を押す（ステップＳ５２１）。
すると、ＣＰＵ３９は、モード遷移チャート従って、遠隔制御装置１０２を「モード５２０」に移行させる（ステップＳ５２２）。
【００４０】
「モード５２０」では、ＣＰＵ３９は、ＬＥＤ点灯図に従って、放送／復旧スイッチ２０５のＬＥＤ４２を点滅表示から点灯表示に変える（ステップＳ５２３）。この時、回線選択スイッチ２０７のＬＥＤ３７は高輝度点灯のままとする。
そして、ＣＰＵ３９は、制御信号出力端子３３からセンタユニット１０１に対して、設定した回線に放送を行うよう指示する制御信号を出力する（ステップＳ５２４）一方、マイクロホン１０３からの音声や再生装置からの再生音声信号を、音声信号出力端子３４からセンタユニット１０１に対して出力する（ステップＳ５２５）。
【００４１】
センタユニット１０１は、遠隔制御装置１０２から出力された制御信号に基づいて、指示されたフロアに設けたスピーカ１０３から放送を行う。
これにより、操作者等がマイクロホン１０３に向かって話しをすれば、それが所望のスピーカから放送される。
この際、必要に応じて、アップチャイムスイッチ２０６やダウンチャイムスイッチ２０４を押してチャイムを放送することもできる。
【００４２】
放送を終了するときは、操作者は、放送／復旧スイッチ２０５を押す（ステップＳ５２６）。
この操作により、ＣＰＵ３９はモード遷移チャートに従って、「モード０００」に移行する（ステップＳ５２７）。
そして、ＣＰＵ３９は、放送を終了するよう指示する制御信号を制御信号出力端子３３からセンタユニット１０１に対して出力する（ステップＳ５２８）。
また、「モード０００」では、ＬＥＤ点灯図に従って、全てのＬＥＤを消灯させる（ステップＳ５２９）。
上述した手順は限定されるものではない。例えば、入力された番号の回線が登録されているか否かの確認手順、即ち、ステップＳ５１０，Ｓ５１１を、回線登録スイッチ５０８を押すステップＳ５１６の後に配置してもよい。
【００４３】
以上詳述したように、実施例の遠隔制御装置は、あらかじめ設定された手順（テーブル）に基づき、次に操作を許容するスイッチのＬＥＤを低輝度で点灯させる。
これにより、操作者は、次にどのスイッチを押せるのか、を瞬時に把握することができる。
【００４４】
また、実施例の遠隔制御装置は、操作のガイドを行うので、長く複雑な操作手順でも間違いなくその操作を行うことができる。
また、操作を受け付けた後は、そのスイッチが明るく点灯するので、操作者は、この装置が正常に動作しているということがわかる。また、どの動作状態にあるかも把握することができる。
【００４５】
尚、実施例では回線選択放送の例を示したが、他のモードにおいても、同等の処理を行われるので、操作の簡易化と誤操作の防止を図れることは言うまでもない。
【００４６】
上述した実施例は、次の操作が可能なスイッチを低輝度で発光させるものであるが、逆にこれを高輝度で発光させてもよい。
即ち、実施例の遠隔制御装置は、自照式スイッチの発光を、複数段階の輝度で発光可能に制御し、予め設定された手順における次の手順で許容される操作に係るスイッチを、その操作時の動作を示すスイッチの発光輝度と異ならせて発光させるものである。
また、スイッチは自照式でなくてもよく、各スイッチに対応して発光するＬＥＤ等を設けたものでもよい。この場合、発光部は各スイッチの近傍にあることが望ましい。
【００４７】
本発明の実施例は、上述した構成及び手順に限定されるものではなく、本発明の要旨を逸脱しない範囲において変形例としてもよいのは言うまでもない。
例えば、発光させる輝度を任意に可変可能としてよい。これにより、遠隔制御装置を使用する周囲環境（照度）に対応して、所望の輝度で高輝度及び低輝度を設定することができるので、操作者は、スイッチ類の視認が快適に行え、より良好な操作が可能になる。
【００４８】
また、スイッチは、視覚的に消えている時間のある点滅ではなく、連続して発光（点灯）しその輝度の違いにより状態の違いを表示するので、スイッチの種類を容易に把握することができるという良好な操作環境を提供できるものである。
発光手段がＬＥＤの場合、その駆動をパルス入力により行うので、そのパルス間隔を制御することにより、視覚的に点灯状態と視認される状態で輝度調整を行うことができる。
【００４９】
また、輝度を３段階以上にし、その輝度をスイッチの機能毎に異ならせてもよい。例えば、放送モード毎に各スイッチを異なる輝度で発光するようにする。
これにより、スイッチの表示を見ることなく、その輝度の違いでスイッチの種類や現在の動作状況を把握することができ、操作をさらにスムーズに行うことができる。
また、発光手段は実施例で説明したＬＥＤに限るものではなく、種々の発光素子を用いることができる。
【００５０】
実施例は、出力回線を多数有する回線制御装置を、放送システムの出力回線制御装置を例に説明したが、本発明は、放送システムの出力回線制御装置に限らず適用可能であることは言うまでもない。
例えば、多数の入力回線を有する例えばＰＡシステムのミクシングコンソール等に適用することもできる。この場合、マイクロフォンや機器のライン出力からの信号が入来する複数の入力回線から、所望の入力回線を選択したり、選択した入力回線を登録する場合のスイッチ操作を良好に行うことができる。
【図面の簡単な説明】
【００５１】
【図１】本発明の遠隔制御装置の実施例を適用した業務放送システムの構成例を説明する図である。
【図２】本発明の遠隔制御装置の実施例を説明する平面図である。
【図３】本発明の遠隔制御装置の実施例を説明するブロック図である。
【図４】本発明の遠隔制御装置の実施例における動作を説明するフローチャートである。
【図５】本発明の遠隔制御装置の実施例における操作案内手順を説明するフローチャートである。
【図６】本発明の遠隔制御装置の実施例におけるモード遷移チャートである。
【図７】本発明の遠隔制御装置の実施例におけるＬＥＤ点灯モードを示す図である。
【符号の説明】
【００５２】
３０  バスライン
３２  外部入力端子
３３  制御信号出力端子３３
３４  音声信号出力端子
３５  ブザー
３６  メモリ
３７，３８，４０〜４２  発光手段（ＬＥＤ）
３９  ＣＰＵ
１０１  センターユニット
１０２（１０２ａ〜１０２ｄ）  回線（遠隔）制御装置
１０３  マイクロホン
１０４ａ  記録再生装置
１０４ｂ  再生装置
２０２  回線表示ディスプレイ
２０３  ブロックスイッチ（回線番号スイッチ）
２０４  ダウンチャイムスイッチ
２０５  放送／復旧スイッチ
２０７  回線選択スイッチ
２０８  回線登録スイッチ
２０９  クリアスイッチ
２１５  一斉放送選択スイッチ
２１７  メモリ登録スイッチ
２１８  メモリ確認スイッチ
２１６ａ，２１６ｂ  第１，第２のメモリースイッチ
ＳＰ１〜ＳＰｎ  スピーカ
【図１】
2006093935.tif 000003
【図２】
2006093935.tif 000004
【図３】
2006093935.tif 000005
【図４】
2006093935.tif 000006
【図５】
2006093935.tif 000007
【図６】
2006093935.tif 000008
【図７】
2006093935.tif 000009